(57)【特許請求の範囲】
【請求項１】
洗浄液が蓄えられた液槽内で回転するワイピングローラの周面に、洗浄ユニットを対接させてワイピングローラに転移したインキを拭き取る印刷機のワイピング装置において、前記洗浄ユニットのワイパパッドが常にワイピングローラの回転方向下流側に引っ張られるように同ワイパパッドのワイピングローラの回転方向下流側と洗浄ユニット本体側との間にばねを介装したことを特徴とする印刷機のワイピング装置。
【発明の詳細な説明】
【０００１】
【発明の属する技術分野】
本発明は、凹版印刷機において版面に転移された非画線部のインキを拭き取るワイピング装置に関する。
【０００２】
【従来の技術】
一般に、凹版印刷機による印刷作業は、インキ装置によって凹版胴上の凹版面にインキを転移させ、この転移したインキのうちの絵柄となる画線部外に付着した非画線部のインキを凹版面に対接して回転するワイピングローラで拭き取った後、凹版胴と圧胴との間を通過する紙に、残った画線部のインキを転写させて印刷を施すものである。
【０００３】
そして、ワイピングローラは液槽内に入れた溶剤などの洗浄液に浸漬されて回転していると共に、液内のワイピングローラ周面にはその軸方向へ延びる複数個のブラシが対接されており、拭き取りによってワイピングローラに転移したインキは、このブラシと洗浄液との洗浄作用で取り除かれて洗浄液で溶解される。
【０００４】
図４に、従来のワイピング装置の断面図を示す。
これによれば、液槽１内には洗浄液２が蓄えられており、ワイピングローラ３は、この洗浄液２に下半部を浸漬して液槽１に回動自在に軸支されていると共に、凹版胴４に装着された凹版５に周面を対接させてこれと逆方向に回転している。
【０００５】
液槽１の左，右両側壁間には、アーム支軸６が回動自在に軸支され、このアーム支軸６には、左右一対の揺動アーム７が固定されている。これら揺動アーム７の遊端部にはワイピングローラ３よりもやや長いブラシ受支軸８が回動自在に軸支されている。
【０００６】
ブラシ受支軸８には、左右一対の円弧状のブラシ受９が固定され、これらブラシ受９間には前後一対のブラシ軸１０が支架されている。全体を符号１１で示すものは前後一対のメインブラシであって、各ブラシ軸１０の両端部に固定されたブラシホルダ１２と、該ブラシホルダ１２で両端を支持され毛先をワイピングローラ３の周面に近接させた複数列のブラシ１３とで形成されており、両方のメインブラシ１１のブラシ１３毛先とワイピングローラ３の周面との間には、合成繊維製不織布で形成されたワイパパッド１４がワイピングローラ３の全長に渡って介装されブラシホルダ１２の側面にプレート１５とボルト１６とで固定されている。
【０００７】
このようにして支持されたメインブラシ１１には、ワイピングローラ３に対する圧力の調整装置が付設されている。即ち、前記アーム支軸６の下方には、ウォーム軸１７が液槽１の側壁とこれに固定されたブラケット１８とに軸支されており、このウォーム軸１７上のウォーム１９は、アーム支軸６上に固定された扇形状のウォームホイール２０と噛合されている。ウォーム軸１７の外端にはハンドル２１が装着されており、これを回動操作することにより、ウォーム１９とウォームホイール２０とを介して揺動アーム７が揺動し、メインブラシ１１を覆うワイパパッド１４のワイピングローラ３への圧力が調節されるよう構成されている。
【０００８】
さらに、ワイピングローラ３の両側斜め下方には、それぞれ左右一対ずつの枢軸２２及び２３が液槽１の側壁に軸支されており、その内端にはブラシアーム２４及び２５が固定されている。このうち片側一対のブラシアーム２４に設けられた軸受部間には、ブラシ軸２６が回動自在に支架されている。このブラシ軸２６には、前記メインブラシ１１と同構成のプレブラシ２７が、これを覆う前記ワイパパッド１４と同構成のワイパパッド２８をワイピングローラ３の周面に対接させて固定されている。また、他方一対のブラシアーム２５に設けられた軸受部間には、ブラシ軸２９が回動自在に支架されており、このブラシ軸２９には、同じくワイパパッド３０を備えたプレブラシ２７と同構成のリヤブラシ３１が固定されている。
【０００９】
このようにして支持された両ブラシ２７，３１には、ワイピングローラ３に対する圧力の調整装置が付設されている。即ち、前記枢軸２２，２３の外端には、レバー３２，３３がそれぞれ軸着されており、各レバー３２，３３に枢着されたロッド３４，３５の他端ねじ部は、槽外の調整ねじ３６，３７に連繋されている。そして、これら調整ねじ３６，３７を軸方向への移動を規制しながら回動させることによりロッド３４，３５が進退し、レバー３２，３３とブラシアーム２４，２５とを介してプレブラシ２７とリヤブラシ３１とのワイピングローラ３への圧力がそれぞれ別個に調節されるように構成されている。尚、図中３８，３９及び４０は、それぞれメインブラシ１１，プレブラシ２７及びリヤブラシ３１の傾斜角度を調節する調節ボルトである。
【００１０】
また、図中４１は、液槽１の上面にハンドル４２付きのボルトで固定されたドクタであってその先端部には、先端をワイピングローラ３の周面に対接させてこれに付着した洗浄液２を掻き落とす鋼板製のドクターブレード４３が固定されている。
【００１１】
以上のように構成されたワイピング装置において、凹版胴４上の凹版５には、インキ装置によって凹溝状の絵柄となる画線部とそれ以外の非画線部とにインキが転移され、非画線部のインキは、凹版胴４と反対方向へ回転するワイピングローラ３で拭き取られてその周面に付着する。ワイピングローラ３は、その下半部を洗浄液２内に浸漬されており、その浸漬部周面には、４個のブラシ２７，１１，１１及び３１を覆うワイパパッド２８，１４及び３０が対接しているので、ワイピングによりワイピングローラ３の周面に付着したインキは、各ワイパパッド２８，１４及び３０に滲透した洗浄液２の溶解作用とワイパパッド２８，１４及び３０の押圧作用とで取り除かれる。そして、インキが洗い落とされたワイピングローラ３は、洗浄液２のみを周面に付着させて持ち回るが、そこにはドクターブレード４３が設けられているので、持ち回りされた洗浄液はこれらで掻き落とされ、ワイピングローラ３はインキの拭き取り動作を続ける。
【００１２】
【発明が解決しようとする課題】
以上述べたように、従来のワイピング装置にあっては、洗浄ユニットのワイパパッドが、くわえ側( ワイピングローラの回転方向上流側) も尻側( ワイピングローラの回転方向下流側) も、ボルトによってブラシホルダの側面に固定的に取り付けられていたため、印刷中に、ワイピングローラ周面との摺接でワイパパッドの尻側にたるみが生じ、即ち当該部位の接触圧が低下して、ワイピングローラによって凹版胴より拭き取ったインキの拭き残りや拭きむらが発生して印刷障害につながるといった問題があった。また、固定的にワイパパッドを洗浄ユニットに取り付けていたため、ワイパパッド交換時の作業において、工具等を用いて行わなければならず作業性も悪かった。
【００１３】
そこで、本発明の目的は、ワイパパッドの接触圧がくわえ側と尻側とで常に一定となるようにして、ワイピングローラのインキ拭き取りを安定させられる印刷機のワイピング装置を提供することにある。
【００１４】
【課題を解決するための手段】
前記目的を達成するために、本発明に係る印刷機のワイピング装置は、洗浄液が蓄えられた液槽内で回転するワイピングローラの周面に、洗浄ユニットを対接させてワイピングローラに転移したインキを拭き取る印刷機のワイピング装置において、前記洗浄ユニットのワイパパッドが常にワイピングローラの回転方向下流側に引っ張られるように同ワイパパッドのワイピングローラの回転方向下流側と洗浄ユニット本体側との間にばねを介装したことを特徴とする。
【００１５】
［作用］
前記構成によれば、ワイパパッドが常に尻側に引っ張られて固定され、尻側にたるみが生じないので、ワイピングローラのインキ拭き取りが安定して行える。
【００１６】
【発明の実施の形態】
本発明に係る印刷機のワイピング装置を実施例により詳細に説明する。
【００１７】
［実施例］
図１はワイピング装置の洗浄ユニット部の断面図、図２はワイパパッドの取付け説明図、図３は印刷機のワイピング装置の断面図である。
【００１８】
図３に示すように、装置本体５０が一体形成された液槽５１内には洗浄液５５が蓄えられており、ワイピングローラ５６は、この洗浄液５５に下半部を浸漬して液槽５１に回動自在に軸支されていると共に、凹版胴５７に装着された凹版５８に周面を対接させてこれと逆方向に回転している。
【００１９】
前記ワイピングローラ５６は、液槽５１の左，右両側壁外面にそれぞれ付設した図示しない油圧シリンダの伸縮により偏心軸受を介して凹版胴５７に対し着脱可能になっていると共に、前記油圧シリンダに隣接して設けた図示しない調整モータの回転により前記油圧シリンダ自体が僅かに進退することで、凹版胴５７に対するニップ圧が微調整可能となっている。
【００２０】
そして、前記ワイピングローラ５６の回転方向上流側（図中右側）に位置してワイピングローラ５６に転移したインキを後述する洗浄ユニット７１ａ，７１ｂに先立って掻き取るプレドクタ５９が、また回転方向下流側（図中左側）に位置して液槽５１外への洗浄液の持ち回りを防止するドクタ６０がそれぞれ配設される。
【００２１】
前記プレドクタ５９は、液槽５１の左，右両側壁外面にそれぞれ付設した図示しない油圧シリンダの伸縮によりレバー機構を介してワイピングローラ５６に対し着脱可能になっていると共に、前記油圧シリンダに隣接して設けた図示しない調整モータの回転によりワイピングローラ５６に対するその刃先の調整が可能となっている。尚、図中５９ａはプレドクタ５９で掻き取られたインキを回収するインキ缶である。
【００２２】
液槽５１の左，右両側壁内面には、それぞれ二組のレバー機構６１ａ，６１ｂが付設され、一方のレバー機構６１ａにメインブラシ６２が、また他方のレバー機構６１ｂにはプレブラシ６３がそれぞれ支持されている。
【００２３】
詳述すると、二組のレバー機構６１ａ，６１ｂにおける左，右両ブラシアーム６４ａ，６４ａ間及び６４ｂ，６４ｂ間にはワイピングローラ５６よりもやや長いブラシ受支軸６５ａ，６５ｂが回動自在でかつ調節部６６ａ，６６ｂにて所定の傾斜角度で位置決め，固定可能に軸支されている。
【００２４】
前記ブラシ受支軸６５ａ，６５ｂには、ユニットホルダとしての枠状のブラシホルダ６７ａ，６７ｂがそれぞれ固定され、これらのブラシホルダ６７ａ，６７ｂに毛先をワイピングローラ５６の周面に近接させた複数列のブラシ６８ａ，６８ｂがそれぞれ支持されて洗浄ユニット本体としてのメインブラシ６２とプレブラシ６３とが形成されている。
【００２５】
そして、前記ブラシ６８ａ，６８ｂの毛先とワイピングローラ５６の周面との間には、合成繊維製不織布で形成されたワイパパッド７０ａ，７０ｂがワイピングローラ５６の全長にわたって介装され、このワイパパッド７０ａ，７０ｂとメインブラシ６２及びプレブラシ６３とでそれぞれ洗浄ユニット７１ａ，７１ｂが形成される。
【００２６】
前記ワイパパッド７０ａ，７０ｂは、図１及び図２にも示すように、ブラシホルダ６７ａ，６７ｂの側面にくわえ側（ワイピングローラ５６の回転方向上流側）はフック７２ａ，７２ｂで尻側（ワイピングローラ５６の回転方向下流側）は圧縮コイルばね７３ａ，７３ｂでそれぞれ固定されている。
【００２７】
即ち、ワイパパッド７０ａ，７０ｂが常に尻側に引っ張られて固定されるように、同ワイパパッド７０ａ，７０ｂのくわえ側を保持するくわえホルダ( 二枚のプレートからなる) ７４ａ，７４ｂが長孔７５ａ，７５ｂを介してブラシホルダ６７ａ，６７ｂ側面の左，右両部に突設したフック７２ａ，７２ｂに引っ掛けて固定されると共に、尻側を保持する尻ホルダ( 二枚のプレートからなる) ７６ａ，７６ｂとブラシホルダ６７ａ，６７ｂ側面の左，右両部に突設したスプリングホルダ７７ａ，７７ｂとの間に圧縮コイルばね７３ａ，７３ｂが介装されるのである。
【００２８】
前記レバー機構６１ａ，６１ｂは、液槽５１の側壁に枢軸８８ａ，８８ｂ及び８９ａ，８９ｂを介して一端が回動自在に支持された同長の駆動レバー９０ａ，９０ｂ及び案内レバー９１ａ，９１ｂの他端が前記ブラシアーム６４ａ，６４ｂに回動自在に連結されて、所謂平行リンクを形成し、各洗浄ユニット７１ａ，７１ｂのワイピングローラ５６に対する接触圧調整時には、各洗浄ユニット７１ａ，７１ｂは、ワイピングローラ５６の周面に対してほぼ直線方向にて動作をするようになっている。
【００２９】
前記各駆動レバー９０ａ，９０ｂの枢軸８８ａ，８８ｂには、液槽５１の側壁外面に位置して図示しないクランクレバーの上端が連結，固定され、これらのクランクレバーの下端には液槽５１の側壁外面に取り付けた接触圧調整用油圧シリンダ( 図示せず) のピストンロッド先端がピン結合される。
【００３０】
以上のように構成されたワイピング装置において、凹版胴５７上の凹版５８には、インキ装置によって凹溝状の絵柄となる画線部とそれ以外の非画線部とにインキが転移され、非画線部のインキは、凹版胴５７と反対方向へ回転するワイピングローラ５６で拭き取られてその周面に付着する。
【００３１】
ワイピングによりワイピングローラ５６の周面に付着したインキは、先ず、プレドクタ５９である程度の量が掻き取られてインキ缶５９ａに回収される。その後、ワイピングローラ５６の下半部は洗浄液５５内に浸漬されており、その浸漬部周面には、二つの洗浄ユニット７１ａ，７１ｂのワイパパッド７０ａ，７０ｂが対接しているので、ワイピングローラ５６の周面に付着したインキは、各ワイパパッド７０ａ，７０ｂに滲透した洗浄液５５の溶解作用とワイパパッド７０ａ，７０ｂの押圧作用とで取り除かれる。
【００３２】
この際、二つの洗浄ユニット７１ａ，７１ｂのワイパパッド７０ａ，７０ｂは、圧縮コイルばね７３ａ，７３ｂの引張り力により常に尻側に引っ張られて固定されているため、ワイピングローラ５６との摺接で尻側にたるみが生じることはなく、拭き残しや拭きむらは発生せず、ワイピングローラ５６のインキ拭き取りが安定して行える。
【００３３】
インキが洗い落とされたワイピングローラ５６は、洗浄液５５のみを周面に付着させて持ち回るが、そこにはドクタ６０が設けられているので、持ち回りされた洗浄液はこれらで掻き落とされ、ワイピングローラ５６はインキの拭き取り動作を続ける。
【００３４】
そして、本実施例では、前記二つの洗浄ユニット７１ａ，７１ｂは、ほぼワイピングローラ５６の周面上をほぼ直線方向にて動作をするレバー機構６１ａ，６１ｂで支持されているため、印刷中に、油圧シリンダの油圧を制御して各洗浄ユニット７１ａ，７１ｂのワイピングローラ５６に対する接触圧を調整しても、各洗浄ユニット７１ａ，７１ｂのワイパパッド７０ａ，７０ｂにおけるくわえ側と尻側との接触圧が一定となり、安定した洗浄作用が得られる。
【００３５】
【発明の効果】
以上説明したように本発明によれば、洗浄液が蓄えられた液槽内で回転するワイピングローラの周面に、洗浄ユニットを対接させてワイピングローラに転移したインキを拭き取る印刷機のワイピング装置において、前記洗浄ユニットのワイパパッドが常にワイピングローラの回転方向下流側に引っ張られるように同ワイパパッドのワイピングローラの回転方向下流側と洗浄ユニット本体側との間にばねを介装したので、ワイピングローラとの摺接でワイパパッドの尻側にたるみが生じることはなく、拭き残しや拭きむらは発生せず、ワイピングローラのインキ拭き取りが安定して行える。
【図面の簡単な説明】
【図１】本発明の一実施例を示すワイピング装置の洗浄ユニット部の断面図である。
【図２】同じくワイパパッドの取付け説明図である。
【図３】同じく印刷機のワイピング装置の断面図である。
【図４】従来の印刷機のワイピング装置の断面図である。
【符号の説明】
５０  装置本体
５１  液槽
５５  洗浄液
５６  ワイピングローラ
５７  凹版胴
５８  凹版
５９  プレドクタ
６０  ドクタ
６１ａ，６１ｂ  レバー機構
６２  メインブラシ
６３  プレブラシ
６４ａ，６４ｂ  ブラシアーム
６５ａ，６５ｂ  ブラシ受支軸
６６ａ，６６ｂ  調節部
６７ａ，６７ｂ  ブラシホルダ
６８ａ，６８ｂ  ブラシ
７０ａ，７０ｂ  ワイパパッド
７１ａ，７１ｂ  洗浄ユニット
７２ａ，７２ｂ  フック
７３ａ，７３ｂ  圧縮コイルばね
７４ａ，７４ｂ  くわえホルダ
７５ａ，７５ｂ  長孔
７６ａ，７６ｂ  尻ホルダ
７７ａ，７７ｂ  スプリングホルダ
８８ａ，８８ｂ  枢軸
８９ａ，８９ｂ  枢軸
９０ａ，９０ｂ  駆動レバー
９１ａ，９１ｂ  案内レバー
【図１】
0003766939.tif 000002
【図２】
0003766939.tif 000003
【図３】
0003766939.tif 000004
【図４】
0003766939.tif 000005